(57)【要約】【課題】給湯システムの表示操作装置の消費電力をより一層低減する。【解決手段】操作表示装置１２０は、電源回路１１２から供給される電力に基づきドライブ回路１２５により表示部１２１に画像を表示させる制御回路１２８、電源回路１１２、１２２の間を遮断するための遮断回路１２３、使用者により電源オフ／オンのために操作される電源スイッチ１２４ａを備え、制御回路１２８は、電源回路１１２から電力が給電されて、電源スイッチ１２４ａが電源オフのために操作されたとき電源回路１１２、１２２の間を遮断させるように遮断回路１２３を制御する。これにより、電源スイッチ１２４ａが電源オフのために操作されると、電源回路１１２、１２２の間が遮断され、電源回路１１２から電源回路１２２に電力が供給されなくなる。【選択図】        図２
2004208458.tif 000002
【特許請求の範囲】
【請求項１】
表示部（１２１）と、
外部電源装置（１１２）から給電されて、電力を出力する電源回路（１２２）と、
前記電源回路から電力が供給されて、前記表示部に画像を表示させる表示装置であって、
前記外部電源装置および前記電源回路の間を遮断するための遮断回路（１２３）と、
使用者により電源オフ／オンのために操作される電源スイッチ（１２４ａ）とを有し、
前記電源回路から電力が供給されて、前記電源スイッチが電源オフのために操作されたとき、前記外部電源装置および前記電源回路の間を遮断させるように前記遮断回路を制御する制御回路（１２８）と、を有することを特徴とする表示装置。
【請求項２】
前記電源スイッチは、使用者により電源オフ／オンのために操作されたとき、前記外部電源装置から給電される電力に基づいて、スイッチ信号を出力するものであり、
前記電源スイッチが電源オンのために操作されたとき、前記遮断回路が、前記電源スイッチから出力されるスイッチ信号に基づき前記外部電源装置および前記電源回路の間を接続して前記電源回路によって前記制御回路への給電を開始させるものであり、
前記制御回路は、前記電源回路からの給電が開始されたとき、前記外部電源装置および前記電源回路の間の接続を維持させるように前記遮断回路を制御するものであることを特徴とする請求項１に記載の表示装置。
【請求項３】
前記制御回路が、前記電源スイッチから出力されるスイッチ信号に基づき、前記電源スイッチが電源オフのために操作されたことを判定したとき、前記外部電源装置および前記電源回路の間を遮断させるように前記遮断回路を制御することを特徴とする請求項２に記載の表示装置。
【請求項４】
前記電源スイッチから出力されるスイッチ信号の電圧を分圧するための分圧回路（１２６）を備え、
前記制御回路は、前記分圧回路から出力される分圧信号に基づき、前記電源スイッチが電源オフのために操作されたことを判定することを特徴とする請求項３に記載の表示装置。
【請求項５】
前記遮断回路は、前記外部電源装置から前記電源オンさせるために出力される電源オン信号を検出する検出手段を有し、この検出手段により検出される電源オン信号に基づき、前記外部電源装置および前記電源回路の間を接続させることを特徴とする請求項１乃至４のいずれか１つに記載の表示装置。
【請求項６】
前記電源オン信号は、前記外部電源装置から出力される電源電圧の電圧変化を示す電圧変化信号であり、
前記検出手段は、前記電圧変化信号を検出する微分回路であることを特徴とする請求項５に記載の表示装置。
【請求項７】
請求項１乃至６のいずれか１つに記載の表示装置は、温水を供給する給湯システムに適用されているものである。
【発明の詳細な説明】
【０００１】
【発明の属する技術分野】
本発明は、外部電源装置から給電されて画像を表示する表示装置に関する。
【０００２】
【従来の技術】
従来、室外に設置されて燃料ガスを燃焼させて温水を発生させる給湯ユニットと、台所など室内に設定されて使用者の操作により給湯ユニットをリモートコントロールするリモコン（表示装置）とを備える給湯システムが提案されている（例えば、特許文献１参照）。
【０００３】
ここで、リモコンは、使用者により操作されて、運転モード、目標温度の設定などを行うための操作スイッチと、各種の文字情報などを表示する表示部と、給湯ユニットに内蔵される外部電源装置から電力が供給されて所定電圧の電力を発生する電源回路と、電源回路から給電されて表示部に文字情報などを表示させる制御回路とを備えている。
【０００４】
このものにおいては、待機中にて、操作スイッチに対して省電力モードを行う為の操作が行われると、制御回路が、省電力モードを実行して、表示部に対して表示を停止させるようにしている。このことにより、省電力モードでは、表示部が表示を行わなくなるので、省電力を図ることができる。
【０００５】
【特許文献１】
特開平１１−３１６５６５号公報
【０００６】
【発明が解決しようとする課題】
しかし、上述したリモコンにおいて省電力モードが実行されても、表示部が表示を行わなくなるだけで、制御回路は、電源回路から給電され続ける。したがって、省電力モードであっても、制御回路、ひいては電源回路で電力が消費され続けることになる。
【０００７】
本発明は、上記点に鑑み、より一層の省電力化を図るようにした表示装置を提供することを目的とする。
【０００８】
【課題を解決するための手段】
本発明は、上記目的を達成するために、請求項１に記載の発明では、表示部（１２１）と、外部電源装置（１１２）から給電されて、電力を出力する電源回路（１２２）と、電源回路から電力が供給されて、表示部に画像を表示させる表示装置であって、外部電源装置および電源回路の間を遮断するための遮断回路（１２３）と、使用者により電源オフ／オンのために操作される電源スイッチ（１２４ａ）とを有し、電源回路から電力が供給されて、電源スイッチが電源オフのために操作されたとき、外部電源装置および電源回路の間を遮断させるように遮断回路を制御する制御回路（１２８）と、を有することを特徴とする。
【０００９】
これにより、電源スイッチが電源オフのために操作されたとき、外部電源装置および電源回路の間を遮断されるので、外部電源装置から電源回路に電力が供給されなくなる。これに伴い、電源スイッチが電源オフのために操作されても、電源回路、ひいては、制御回路で電力が消費され続けることを防止でき、より一層の省電力化を図ることができる。
【００１０】
請求項２に記載の発明では、電源スイッチは、使用者により電源オフ／オンのために操作されたとき、外部電源装置から給電される電力に基づいて、スイッチ信号を出力するものであり、電源スイッチが電源オンのために操作されたとき、遮断回路が、電源スイッチから出力されるスイッチ信号に基づき外部電源装置および電源回路の間を接続して電源回路によって制御回路への給電を開始させるものであり、制御回路は、電源回路からの給電が開始されたとき、外部電源装置および電源回路の間の接続を維持させるように遮断回路を制御するものであることを特徴とする。
【００１１】
これにより、電源回路が外部電源装置から給電されてない状態でも、電源スイッチが電源オンのために操作されると、外部電源装置および電源回路の間の接続を維持させて、電源回路から制御回路などに給電を開始させることができる。
【００１２】
具体的には、請求項３に記載の発明のように、制御回路が、電源スイッチから出力されるスイッチ信号に基づき、電源スイッチが電源オフのために操作されたことを判定したとき、外部電源装置および電源回路の間を遮断させるように遮断回路を制御するようにしてもよい。
【００１３】
さらに、請求項４に記載の発明のように、電源スイッチから出力されるスイッチ信号の電圧を分圧するための分圧回路（１２６）を備え、制御回路は、分圧回路から出力される分圧信号に基づき、電源スイッチが電源オフのために操作されたことを判定するようにしてもよい。
【００１４】
請求項５に記載の発明では、遮断回路は、外部電源装置から電源オンさせるために出力される電源オン信号を検出する検出手段を有し、この検出手段により検出される電源オン信号に基づき、外部電源装置および電源回路の間を接続させることを特徴とする。
【００１５】
これにより、外部電源装置から電源オン信号を出力することにより、電源回路から制御回路などに給電を開始させることができる。
【００１６】
具体的には、請求項６に記載の発明のように、電源オン信号は、外部電源装置から出力される電源電圧の電圧変化を示す電圧変化信号であり、検出手段としては、電圧変化信号を検出する微分回路を用いるようにしてもよい。
【００１７】
なお、請求項７に記載の発明のように、請求項１乃至６のいずれか１つに記載の表示装置は、温水を供給する給湯システムに適用されているものを用いてもよい。
【００１８】
因みに、上記各手段の括弧内の符号は、後述する実施形態に記載の具体的手段との対応関係を示す一例である。
【００１９】
【発明の実施の形態】
（第１実施形態）
図１に本発明に係る表示装置が適用される給湯システムの実施形態の模式図を示す。
【００２０】
給湯システムは、給湯装置１００、電子制御装置１１０（外部装置）、および操作表示装置（表示装置）１２０を有して構成されており、給湯装置１００は、給湯用の水を加熱するヒートポンプユニット１０および貯湯ユニット２０からなる。
【００２１】
ヒートポンプユニット１０は、電動圧縮機１１にて圧縮された高圧冷媒を高圧側熱交換器１２に流入させ、ここで、高圧冷媒と温水とを熱交換して温水を加熱し、高圧側熱交換器１２を通過した放熱後の高圧冷媒はその後、減圧装置１３で低圧状態に減圧される。この低圧冷媒は蒸発器１４で大気等から吸熱して蒸発し、その後、電動圧縮機１１に吸入され、再度圧縮される。
【００２２】
貯湯タンクユニット２０は、貯湯タンク２１を有し、この貯湯タンク２１は、その上側出入口からヒートポンプユニット１０の高圧側熱交換器１２で加熱された高温の温水が流入されて保温貯蔵し、さらに上側出入口から温水を風呂桶等に出湯させる。また、貯湯タンク２１の下側出口から流出される温水が電動ポンプ１７によりヒートポンプユニット１１の高圧側熱交換器１２に流入される。さらに、貯湯タンク２１は、水道の給水栓から給水用止水弁１９ｃから流入されるようになっている。なお、図１中符号１９ａ、１９ｂは止水弁、逆止弁付き止水弁である。
【００２３】
次に、給湯システムの電気回路構成について図２、図３を用いて説明する。図２は、給湯システムの概略電気回路構成を示すブロック図、図３は、操作表示装置１２０の遮断回路、スイッチ入力回路などの具体的構成を示す電気回路図である。
【００２４】
電子制御装置１１０は、制御回路１１１を備えており、この制御回路１１１は、タンク内温水温度センサ２２ａ〜２２ｃの検出温度、出水温度センサ１６ａの検出温度、圧力センサ１６ｂの検出圧力、および操作表示装置１２０により設定された目標温度等に基づいて、貯湯タンク２１内の温水温度を温水目標温度に近づけるように、電動圧縮機１１、電動送風機１４ａ及び電動ポンプ１７等を制御する。
【００２５】
出水温度センサ１６ａは、水冷媒熱交換器１２から流出する水の温度を検出するものであり、圧力センサ１６ｂは、ヒートポンプユニット１０内の水冷媒熱交換器１２から流出した冷媒の圧力を検出するものである。そして、タンク内温水温度センサ２２ａ〜２２ｃは、貯湯タンク２１の外表面にてその上方側から下側にかけて順に貼り付けられたもので、貯湯タンク２１内の温水温度をそれぞれ検出する。電動送風機１４ａは、蒸発器１４に向けて外気を送風する。
【００２６】
また、電子制御装置１１０は、電源回路１１２（外部電源回路）および通信回路１１３を備えており、電源回路１１２は、商用電源から入力される交流電圧（例えば２００Ｖ）に基づき、例えば直流１２Ｖの電源電圧や直流５Ｖの低電圧を発生する。この５Ｖの低電圧は制御回路１１１および通信回路１１３に出力される。このことにより、制御回路１１１および通信回路１１３は、電源回路１１２から給電されることになる。
【００２７】
さらに、電源回路１１２から操作表示装置１２０に電力を供給するために、１２Ｖの電源電圧が、電線２００ａを通して操作表示装置１２０に出力される。なお、図２中符号２００ｂはグランドラインで、電子制御装置１１０および操作表示装置１２０間で接続されている。
【００２８】
通信回路１１３は、電線２００ａに印加される１２Ｖの電源電圧に下り通信信号を重畳して通信回路１２７に送信する。下り通信信号は、複数列のパルス信号から構成されるもので、センサ１６ａ、１６ｂ、２２ａ〜２２ｃの検出温度、検出圧力などを示す信号である。また、通信回路１１３は、電線２００ａに印加される１２Ｖの電源電圧に重畳されている上り通信信号を受信することになる。上り通信信号は、複数列のパルス信号から構成されるもので、温水目標温度などを示す信号である。
【００２９】
また、操作表示装置１２０は、温水目標温度、エラーコード等の文字表示や目標温度の設定を行うためのもので、図２に示すように、表示部１２１、電源回路１２２、遮断回路１２３、電源スイッチ１２４ａ、温度設定スイッチ１２４ｂ、ドライブ回路１２５、スイッチ入力回路１２６、通信回路１２７および制御回路１２８から構成されている。
【００３０】
表示部１２１は、例えば液晶表示パネルであって、温水目標温度、エラーコード等を文字表示するものであり、電源回路１２２は、電子制御装置１１０の電源回路１１２から電線２００ａを介して印加される電源電圧（例えば１２Ｖ）を低下させて低下電圧（５Ｖ）を発生する。この低下電圧は、制御回路１２８等に電力が供給されることになる。
【００３１】
遮断回路１２３は、電子制御装置１１０の電源回路１１２および電源回路１２２の間で接続および遮断のうち一方を行う。具体的には、遮断回路１２３は、図３に示すように、トランジスタ１３０、１３１、電流制限用の抵抗素子１３２、および逆流防止用のダイオード１３３、１３４から構成されている。
【００３２】
トランジスタ１３０は、電源回路１１２、１２２の間で配設されるＰＮＰ型トランジスタであって、トランジスタ１３１により駆動されて、電源回路１１２、１２２の間で接続および遮断のうち一方を行う。トランジスタ１３１は、トランジスタ１３０およびグランドの間で接続されたもので、制御回路１２８からダイオード１３３を通して入力される制御信号に基づき、トランジスタ１３０を駆動する。さらに、トランジスタ１３１は、電源スイッチ１２４ａからダイオード１３３を通して入力されるスイッチ信号によってもトランジスタ１３０を駆動することができる。
【００３３】
電源スイッチ１２４ａは、電線２００ａおよび遮断回路１２３のダイオード１３３の間に配設される常開型スイッチであって、使用者により電源オフ／オンのために操作（以下、電源オフ／オン操作という）されたとき、電線２００ａおよび遮断回路１２３のダイオード１３３の間を接続する。このことにより、電源スイッチ１２４ａは、電源オフ／オン操作されると、電源回路１１２から電線２００ａを通して給電される直流１２Ｖの電力に基づいて、スイッチ信号を出力することができる。
【００３４】
スイッチ入力回路１２６は、図３に示すように、共通接続端子１３７とグランドとの間で直列接続される抵抗素子１３５、１３６から構成されている。共通接続端子１３７は、電源スイッチ１２４ａおよびダイオード１３３の間の共通接続端子である。そして、抵抗素子１３５、１３６は、共通接続端子１３７から出力されるスイッチ信号を分圧して分圧信号を共通接続端子１３８から制御回路１２８に出力する。共通接続端子１３８は、抵抗素子１３５、１３６の間の共通接続端子である。
【００３５】
また、図２に示す温度設定スイッチ１２４ｂは、使用者により温水目標温度を設定するための操作されて、温水目標温度を示す操作信号を制御回路１２８に出力する。ドライブ回路１２５は、制御回路１２８により制御されて、表示部１２１に温水目標温度、エラーコード等を文字表示させる。また、通信回路１２７は、電線２００ａに印加される電源電圧に対して上り通信信号を重畳して通信回路１１３に送信するとともに、電線２００ａに印加される電源電圧に対して重畳される下り通信信号を受信する。
【００３６】
制御回路１２８は、後述するように、ドライブ回路１２５によって温水目標温度、エラーコード等を表示部１２１に文字表示させたり、電源スイッチ１２４ａから出力されるスイッチ信号に基づき、遮断回路１２３を制御する。
【００３７】
次に、本実施形態の給湯システムで特徴部である操作表示装置１２０の作動について説明する。
【００３８】
先ず、給湯システムを初めて通電するとき、あるいは電源ＯＦＦ状態から再通電するときには、使用者により電源スイッチ１２４ａが電源オン操作として押下される。
【００３９】
これに伴い、電源スイッチ１２４ａは、電源回路１１２から電線２００ａを通して給電される直流１２Ｖの電力に基づいて、スイッチ信号を出力する。このスイッチ信号は、遮断回路１２３のダイオード１３３を介してトランジスタ１３１のベース端子に入力されるので、トランジスタ１３１がオンする。したがって、トランジスタ１３０のベース端子からベース電流がトランジスタ１３１を通してグランドに流れることにより、トランジスタ１３０がオンする。このことにより、遮断回路１２３が、電源回路１１２、１２２の間の接続を開始させることになる。
【００４０】
ここで、電源回路１２２は、電源回路１１２から電線２００ａを介して印加される電源電圧に基づき、制御回路１２８に給電を開始する。これに伴い、制御回路１２８は、電源回路１２２からの給電が開始されたとき、ハイレベルの制御信号を継続的にダイオード１３４を通してトランジスタ１３１のベース端子に出力させることになる。
【００４１】
したがって、使用者による電源スイッチ１２４ａへの押下が終了しても、トランジスタ１３０、１３１のオン状態、ひいては、電源回路１１２、１２２の間の接続状態を維持できる。このことにより、使用者が電源スイッチ１２４ａを一度押下しただけで、電源回路１２２から制御回路１２８に給電している状態、すなわち電源オン状態を維持できることになる。
【００４２】
このような電源オン状態状態において、制御回路１２８は、温度設定スイッチ１２４ｂから出力される操作信号に基づき、ドライブ回路１２５によって温水目標温度を表示部１２１に文字表示させたり、温水目標温度を示す通信信号を通信回路１２７に出力したり、通信回路１２７から入力される下り通信信号に基づきエラーの発生を判定してこの判定エラーのコードをドライブ回路１２５によって温水目標温度を表示部１２１に表示させたりする。
【００４３】
次に、電源ＯＦＦにするための使用者により電源スイッチ１２４ａが電源オフ操作として押下される。
【００４４】
これに伴い、電源スイッチ１２４ａは、電源回路１１２から電線２００ａを通して給電される直流１２Ｖの電力に基づいて、スイッチ信号を出力する。このスイッチ信号は抵抗素子１３５、１３６により分圧されるので、その共通接続端子１３８から分圧信号が発生される。ここで、制御回路１２８は、分圧信号の電圧レベルが所定以上になると、電源スイッチ１２４ａが電源オフ操作されたことを判定する。
【００４５】
これに伴い、制御回路１２８が、通信回路１２７によって電源オフ通知信号を通信回路１１３に送信させる処理を行うので、通信回路１２７が、電線２００ａに印加される電源電圧に電源オフ通知信号を重畳する。電源オフ通知信号は、制御回路１２８自身が、電源オフ状態に移行するものの、この電源オフが故障によるものでないことを示す。
【００４６】
また、制御回路１２８が、ローレベルの制御信号をダイオード１３４を通してトランジスタ１３１のベース端子に出力させるので、トランジスタ１３０をオフさせることになる。したがって、トランジスタ１３１もオフするので、電源回路１１２、１２２の間が遮断される。このことにより、使用者が電源スイッチ１２４ａを押下しただけで、電源回路１２２から制御回路１３６への給電が停止している状態、すなわち電源オフ状態に移行することができる。
【００４７】
以下、本実施形態の作用効果につき述べる。操作表示装置１２０では、表示部１２１と、電子制御装置の電源回路１１２（外部電源装置）から給電されて電力を出力する電源回路１２２と、電源回路１１２から供給される電力に基づきドライブ回路１２５により表示部１２１に画像を表示させる制御回路１２８と、電源回路１１２、１２２の間を遮断するための遮断回路１２３と、使用者により電源オフ／オンのために操作される電源スイッチ１２４ａとを備え、制御回路１２８は、電源回路１１２から電力が給電されて、電源スイッチ１２４ａが電源オフのために操作されたとき電源回路１１２、１２２の間を遮断させるように遮断回路１２３を制御する。
【００４８】
これにより、電源スイッチ１２４ａが電源オフのために操作されたとき、電源回路１１２、１２２の間が遮断されるので、電源回路１１２から電源回路１２２に電力が供給されなくなる。これに伴い、電源スイッチ１２４ａが電源オフのために操作されても、電源回路１２２、ひいては制御回路１２８で電力が消費され続けることを防止でき、より一層の省電力化を図ることができる。
【００４９】
（第２実施形態）
上述の実施形態では、電源スイッチ１２４ａへの操作により電源オンするものを示したが、これに加えて、本第２実施形態では、電子制御装置１１０からの遠隔制御によって、操作表示装置１２０の電源オンを行うものを示す。この場合の操作表示装置１２０および電子制御装置１１０の構成を図４に示す。
【００５０】
本実施形態の操作表示装置１２０は、図４に示すように、図３に示す操作表示装置１２０の遮断回路１２３に、微分回路１４１、電流制限用の抵抗素子１４０からなる検出手段１５０を追加したものである。検出手段１５０は、電源回路（外部電源装置）１１２から電源オンさせるために出力される電源オン信号を検出するものであり、微分回路１４１および抵抗素子１４０は、電線２００ａとＰＮＰ型のトランジスタ１３１のベース端子との間に直列接続されている。微分回路１４１としては、コンデンサが用いられている。
【００５１】
また、本実施形態の電子制御装置１１０の電源回路１１２は、定電圧回路１１２ａおよびトランジスタ１１２ｂから構成されており、定電圧回路１１２ａは、上述の実施形態の電子制御装置１１０と同様、商用電源から入力される交流電圧に基づき直流１２Ｖの電源電圧や直流５Ｖの低電圧を発生する。
【００５２】
トランジスタ１１２ｂは、定電圧回路１１２ａおよび電線２００ａの間に配設されたもので、制御回路１１１により制御されて、定電圧回路１１２ａおよび電線２００ａの間で接続および遮断の一方を行う。
【００５３】
このように構成された本実施形態では、制御回路１１１がトランジスタ１１２ｂをオフさせる（ＯＮ→ＯＦＦ）。このため、定電圧回路１１２ａおよび電線２００ａの間が遮断されるため、電子制御装置１１０の電源回路１１２から操作表示装置１２０の電源回路１２２への電力供給が停止され、電源オフ状態に移行する。
【００５４】
次に、制御回路１１１がトランジスタ１１２ｂをオンすると（ＯＦＦ→ＯＮ）、電源回路１１２から発生する電源電圧がローレベルから立ち上がるように変化する。
【００５５】
このような電源電圧の変化を示す電圧変化信号（電源オン信号）が、電線２００ａを通して抵抗素子１４０を介して微分回路１４１に入力されると、この電圧変化信号が微分回路１４１からトランジスタ１３１のベース端子に入力されることになる。このことにより、微分回路１４１が、電源電圧の変化を示す電圧変化信号を検出してトランジスタ１３１に出力することになる。
【００５６】
これに伴い、上述の実施形態と同様に、トランジスタ１３１、１３０がオンするので、遮断回路１２３が、電源回路１１２、１２２の間の接続を開始し、電源回路１２２が、電線２００ａを介して入力される電源電圧に基づき、制御回路１３６に給電を開始する。これに伴い、制御回路１３６は、トランジスタ１３１のオン状態、ひいては、電源回路１２２から制御回路１３６に給電している電源オン状態を維持する。
【００５７】
（その他の実施形態）
上述の各実施形態では、表示装置を、温水を供給する給湯システムの表示操作装置１２０に適用されるものを示したが、空調装置システムの操作表示装置（リモコン）に適用するようにしてもよい。
【００５８】
上述の各実施形態では、給湯システムとしては、ヒートポンプ式のものを示したが、これに限らず、燃料ガスを燃焼させて温水を発生させる給湯システムを用いてもよい。
【００５９】
上述の各実施形態では、トランジスタ１１２ｂ、トランジスタ１３１、１３０としては、上述の如くＰＮＰ型やＮＰＮ型などのバイポーラトランジスタを用いたものを示したが、電界効果型トランジスタなど各種のトランジスタを用いてもよい。
【図面の簡単な説明】
【図１】本発明の第１実施形態の給湯システムの概略構成を示す模式図である。
【図２】図１の給湯システムの概略電気回路構成を示すブロック図である。
【図３】図１の操作表示装置の具体的構成を示す電気回路図である。
【図４】本発明の第２実施形態の給湯システムの操作表示装置の電気回路構成を示す電気回路図である。
【符号の説明】
１１…電動圧縮機、１６ａ…出水温度センサ、１６ｂ…圧力センサ、
１４ａ…電動送風機、１７…電動ポンプ、
２２ａ〜２２ｃ…タンク内温水温度センサ、
１１０…電子制御装置、１１１…制御回路、１１２…電源回路、
１１３…通信回路、１２０…操作表示装置、１２１…表示部、
１２２…電源回路、１２３…遮断回路、１２４ａ…電源スイッチ、
１２４ｂ…温度設定スイッチ、１２５…ドライブ回路、
１２６…スイッチ入力回路、１２７…通信回路、１２８…制御回路。
【図１】
2004208458.tif 000003
【図２】
2004208458.tif 000004
【図３】
2004208458.tif 000005
【図４】
2004208458.tif 000006